(57)【要約】      （修正有）【課題】先行技術における上記の欠点に対処する幾らかの助けとなり、或いは少なくとも有用な選択肢を当該業界に提供する、レンズ温度を周囲温度よりも高く加温するためのレンズ加温及び清浄システムを提供する。【解決手段】腹腔鏡のような光学器械１のレンズ部分２を周囲温度よりも高い温度に加温してレンズの曇りを防止する加温装置３０であって、該加温装置が、内壁３ｂと、外壁３ａと、上面と、これらの間に中央キャビティ４を備えた及び開放遠位部７とを有する二重壁円筒状管体３と、上面から延び、レンズ部分を受けるような大きさ及び形状にされた突出部９と、二重壁円筒状管体の遠位部に取り付けるような大きさにされた円形キャップ５と、中央キャビティ内に密閉され断熱層に熱結合される加熱要素１５とを含む。【選択図】図１
2011229924.tif 000002
【特許請求の範囲】
【請求項１】
レンズ部分を備えた光学器械の遠位部を加温することができる加温装置であって、
内壁と、外壁と、中央キャビティを間に備えた上面および開放遠位部とを有する二重壁円筒状管体と、
前記上面から延び、前記光学器械のレンズ部分を受けるような大きさ及び形状にされた突出部と、
前記二重壁円筒状管体の遠位部に取り付けるような大きさにされた円形キャップと、
前記二重壁円筒状管体の内壁と外壁との間の断熱層と、
前記中央キャビティ内に密閉され、前記断熱層に熱結合される加熱要素と、を備えている、
ことを特徴とする加温装置。
【請求項２】
前記加温装置が、熱可塑性タイプ材料で構成される請求項１に記載の加温装置。
【請求項３】
前記加温装置が、熱硬化性プラスチック材料で構成される請求項１に記載の加温装置。
【請求項４】
前記突起部が、前記加温装置内への挿入時に前記光学器械に対して支持強化を与えるように、前記突起部の遠位部に向かって漸減した円周部の複数の段部を含むことを特徴とする請求項１から請求項３のいずれか１項に記載の加温装置。
【請求項５】
前記加熱要素が、導電材料を含む請求項１から請求項４のいずれか１項に記載の加温装置。
【請求項６】
前記導電材料が、水又は塩水である請求項５に記載の加温装置。
【請求項７】
前記導電材料が、コムギクサの種である請求項５に記載の加温装置。
【請求項８】
前記導電材料が、オオムギクサの種である請求項５に記載の加温装置。
【請求項９】
前記導電材料が、オートムギの種である請求項５に記載の加温装置。
【請求項１０】
前記導電材料が、米である請求項５に記載の加温装置。
【請求項１１】
前記加熱要素が、前記加温装置をマイクロ波加熱することによって使用前に加熱されることを特徴とする請求項１から請求項１０のいずれか１項に記載の加温装置。
【請求項１２】
前記加熱要素が、前記加温装置を従来型のオーブン式外科用加温器内に挿入することによって使用前に加熱されることを特徴とする請求項１から請求項１０のいずれか１項に記載の加温装置。
【請求項１３】
前記断熱層が空気を含む請求項１から請求項１２のいずれか１項に記載の加温装置。
【請求項１４】
前記加温装置が使い捨てであることを特徴とする請求項１から請求項１３のいずれか１項に記載の加温装置。
【請求項１５】
前記二重壁円筒状管体が、前記加温装置を外科手術用ドレープ又はテーブルに着脱可能に取り付けるように構成された、前記上面に取り付けられる取付機構を有する請求項１から請求項１４のいずれか１項に記載の加温装置。
【請求項１６】
前記取付機構が、ハンドルである請求項１５に記載の加温装置。
【請求項１７】
前記取付機構が、ハンドルクリップである請求項１５に記載の加温装置。
【請求項１８】
前記突出部が、前記上面の少なくとも一部を囲み、異なる寸法の光学器械の遠位部を受けるように適合可能な可撓性グロメットを有する請求項１から請求項１７のいずれか１項に記載の加温装置。
【請求項１９】
前記可撓性グロメットが、シリコンで構成される請求項１８に記載の加温装置。
【請求項２０】
前記突出物が、前記遠位部に配置された清浄部材を有する請求項１から請求項１９のいずれか１項に記載の加温装置。
【請求項２１】
前記清浄部材が、不織フィルタタイプの材料である請求項２０に記載の加温装置。
【請求項２２】
腹腔鏡のような光学器械の遠位部を加温することができる加温装置であって、
内壁と、外壁と、中央キャビティを間に備えた上面及び開放遠位部とを有する二重壁円筒状管体と、
前記上面から延び、前記光学器械のレンズ部分を受けるような大きさ及び形状にされた突出部と、
前記二重壁円筒状管体の遠位部に取り付けるような大きさにされた円形キャップと、
前記二重壁円筒状管体の内壁と外壁との間の断熱層と、
前記中央円形突出部を被覆する材料と、を備えている、
ことを特徴とする加温装置。
【請求項２３】
前記突起部が、前記加温装置内への挿入時に前記光学器械に対して支持強化を与えるように、前記突起部の遠位部に向かって漸減した円周部の複数の段部を含むことを特徴とする請求項２２に記載の加温装置。
【請求項２４】
前記材料被覆が、光エネルギーを熱エネルギーに変換するのに使用されることを特徴とする請求項２２又は請求項２３に記載の加温装置。
【請求項２５】
前記材料被覆が、前記加温装置の製造時に前記熱可塑性タイプの材料中に含浸される黒色染料である請求項２２から請求項２４のいずれか１項に記載の加温装置。
【請求項２６】
前記材料被覆が、前記加温装置の製造時に前記熱硬化性プラスチック材料中に含浸される黒色染料である請求項２２から請求項２４のいずれか１項に記載の加温装置。
【請求項２７】
前記材料被覆が、前記遠位部で閉じられ且つ前記突出部の遠位部に向かって挿入される黒色プラスチック円筒状管体を構成することを特徴とする請求項２２から請求項２４のいずれか１項に記載の加温装置。
【請求項２８】
前記断熱層が空気を含む請求項２２から請求項２７のいずれか１項に記載の加温装置。
【請求項２９】
前記加温装置が、使い捨てであることを特徴とする請求項２２から請求項２８のいずれか１項に記載の加温装置。
【請求項３０】
前記二重壁円筒状管体が、前記加温装置を外科手術用ドレープ又はテーブルに着脱可能に取り付けるように構成された、前記上面に取り付けられる取付機構を有する請求項２２から請求項２９のいずれか１項に記載の加温装置。
【請求項３１】
前記取付機構が、ハンドルである請求項３０に記載の加温装置。
【請求項３２】
前記取付機構が、ハンドルクリップである請求項３０に記載の加温装置。
【請求項３３】
前記突出部が、前記上面の少なくとも一部を囲み、異なる寸法の光学器械の遠位部を受けるように適合可能な可撓性グロメットを有する請求項２２から請求項３２のいずれか１項に記載の加温装置。
【請求項３４】
腹腔鏡のような光学器械の遠位部を加温することができる加温装置であって、
内壁と、外壁と、中央キャビティを間に備えた上面及び開放遠位部とを有する二重壁円筒状管体と、
前記上面から延び、前記光学器械のレンズ部分を受けるような大きさ及び形状にされた突出部と、
前記二重壁円筒状管体の遠位部に取り付けるような大きさにされた円形キャップと、
前記二重壁円筒状管体の内壁と外壁との間の断熱層と、
前記突出部を被覆する材料と、
使用時に少なくとも加熱送気ガスが前記加温装置を通過することにより、前記中央キャビティを加温するように前記二重壁円筒状管体に取り付けられた入口及び出口ガス管状コネクタと、を備えている、
ことを特徴とする加温装置。
【請求項３５】
前記突起部が、前記加温装置内への挿入時に前記光学器械に対して支持強化を与えるように、前記突起部の遠位部に向かって漸減した円周部の複数の段部を含むことを特徴とする請求項３４に記載の加温装置。
【請求項３６】
前記材料被覆が、光エネルギーを熱エネルギーに変換するように使用されることを特徴とする請求項３４又は請求項３５に記載の加温装置。
【請求項３７】
前記材料被覆が、前記加温装置の製造時に前記熱可塑性タイプの材料中に含浸される黒色染料である請求項３４から請求項３６のいずれか１項に記載の加温装置。
【請求項３８】
前記材料被覆が、前記加温装置の製造時に前記熱硬化性プラスチック材料中に含浸される黒色染料である請求項３４から請求項３６のいずれか１項に記載の加温装置。
【請求項３９】
前記材料被覆が、前記遠位部で閉じられ且つ前記突出部の遠位部に向かって挿入される黒色プラスチック円筒状管体を構成することを特徴とする請求項３４から請求項３６のいずれか１項に記載の加温装置。
【請求項４０】
前記断熱層が空気を含む請求項３４から請求項３９のいずれか１項に記載の加温装置。
【請求項４１】
前記加温装置が、使い捨てであることを特徴とする請求項３４から請求項４０のいずれか１項に記載の加温装置。
【請求項４２】
前記二重壁円筒状管体が、前記加温装置を外科手術用ドレープ又はテーブルに着脱可能に取り付けるように構成された、前記上面に取り付けられる取付機構を有する請求項３４から請求項４１のいずれか１項に記載の加温装置。
【請求項４３】
前記取付機構が、ハンドルである請求項４２に記載の加温装置。
【請求項４４】
前記取付機構が、ハンドルクリップである請求項４２に記載の加温装置。
【請求項４５】
前記突出部が、前記上面の少なくとも一部を囲み、異なる寸法の光学器械の遠位部を受けるように適合可能な可撓性グロメットを有する請求項３４から請求項４４のいずれか１項に記載の加温装置。
【請求項４６】
前記可撓性グロメットが、シリコンで構成される請求項４５に記載の加温装置。
【請求項４７】
前記送気ガスが、前記加温装置に流入する前に加熱されることを特徴とする請求項３４から請求項４６のいずれか１項に記載の加温装置。
【請求項４８】
前記送気ガスが、前記加温装置に流入する前に加熱及び加湿されることを特徴とする請求項３４から請求項４６のいずれか１項に記載の加温装置。
【請求項４９】
腹腔鏡のような光学器械の遠位部を加温しながら光学器械を較正する装置であって、
内壁と、外壁と、中央キャビティを間に備えた上面及び開放遠位部とを有する二重壁円筒状管体と、
前記上面から延び、前記光学器械のレンズ部分を受けるような大きさ及び形状にされた突出部と、
前記二重壁円筒状管体の遠位部に取り付けるような大きさにされた円形キャップと、
前記二重壁円筒状管体の内壁と外壁との間の断熱層と、
前記突出部の遠位部内に挿入される白色化ブロックと、
前記中央キャビティ内に密閉され、前記断熱層に熱結合される加熱要素と、を備えている、
ことを特徴とする光学器械を較正する装置。
【請求項５０】
前記装置が、熱可塑性タイプの材料で構成される請求項４９に記載の光学器械を較正する装置。
【請求項５１】
前記装置が、熱硬化性プラスチック材料で構成される請求項４９に記載の光学器械を較正する装置。
【請求項５２】
前記装置における前記二重壁円筒状管体が、前記外壁から前記突出部の遠位部を貫通して延び、前記白色化ブロックに嵌合するような大きさ及び形状にされた水平キャビティを有することを特徴とする請求項４９から請求項５１のいずれか１項に記載の光学器械を較正する装置。
【請求項５３】
前記突出部が、前記装置内への挿入時に前記光学器械に対して支持強化を与えるように、前記突出部の遠位部に向かって漸減した円周部の複数の段部を含むことを特徴とする請求項５２に記載の光学器械を較正する装置。
【請求項５４】
前記加熱要素が導電材料を含む請求項４９から請求項５３のいずれか１項に記載の光学器械を較正する装置。
【請求項５５】
前記導電材料が、水又は塩水である請求項４９から請求項５４のいずれか１項に記載の光学器械を較正する装置。
【請求項５６】
前記導電材料が、コムギクサの種である請求項４９から請求項５４のいずれか１項に記載の光学器械を較正する装置。
【請求項５７】
前記導電材料が、オオムギクサの種である請求項４９から請求項５４のいずれか１項に記載の光学器械を較正する装置。
【請求項５８】
前記導電材料が、オートムギの種である請求項４９から請求項５４のいずれか１項に記載の光学器械を較正する装置。
【請求項５９】
前記導電材料が、米である請求項４９から請求項５４のいずれか１項に記載の光学器械を較正する装置。
【請求項６０】
前記白色化ブロックが、熱硬化性プラスチック材料で構成される請求項４９か請求項５９のいずれか１項に記載の光学器械を較正する装置。
【請求項６１】
前記白色化ブロックが、熱成形プラスチック材料で構成される請求項４９から請求項５９のいずれか１項に記載の光学器械を較正する装置。
【請求項６２】
前記白色化ブロックが、セラミック材料で構成される請求項４９から請求項５９のいずれか１項に記載の光学器械を較正する装置。
【請求項６３】
前記白色化ブロックが、不織材料で構成される請求項４９から請求項５９のいずれか１項に記載の光学器械を較正する装置。
【請求項６４】
前記白色化ブロックが、織成の繊維材料で構成される請求項４９から請求項５９のいずれか１項に記載の光学器械を較正する装置。
【請求項６５】
前記加熱要素が、前記装置をマイクロ波加熱することによって使用前に加熱されることを特徴とする請求項４９から請求項６４のいずれか１項に記載の光学器械を較正する装置。
【請求項６６】
前記加熱要素が、前記装置を従来型オーブン式外科用加温器内に挿入することによって使用前に加熱されることを特徴とする請求項４９から請求項６４のいずれか１項に記載の光学器械を較正する装置。
【請求項６７】
前記断熱層が空気を含む請求項４９から請求項６６のいずれか１項に記載の光学器械を較正する装置。
【請求項６８】
前記装置が使い捨てである請求項４９から請求項６７のいずれか１項に記載の光学器械を較正する装置。
【請求項６９】
前記二重壁円筒状管体が、前記加温装置を外科手術用ドレープ又はテーブルに着脱可能に取り付けるように構成された、前記上面に取り付けられる取付機構を有する請求項４９から請求項６８のいずれか１項に記載の光学器械を較正する装置。
【請求項７０】
前記取付機構が、ハンドルである請求項６９に記載の光学器械を較正する装置。
【請求項７１】
前記取付機構が、ハンドルクリップである請求項６９に記載の光学器械を較正する装置。
【請求項７２】
前記突出部が、前記上面の少なくとも一部を囲み、異なる寸法の光学器械の遠位部を受けるように適合可能な可撓性グロメットを有する請求項４９から請求項７１のいずれか１項に記載の光学器械を較正する装置。
【発明の詳細な説明】
【技術分野】
【０００１】
本発明は、レンズ加温及び清浄装置に関し、詳細には、限定ではないが、腹腔鏡のような光学器械の遠位部を体腔内に挿入する前に加温及び清浄することによってレンズの曇りを防止することに関する。
【背景技術】
【０００２】
腹腔鏡の遠位部を体腔内に挿入する前に加温して清浄化することによって、腹腔鏡が最初に患者に挿入されたときに腹腔鏡の遠位部に組み込まれたレンズが曇ることで患者の内臓に関する外科医の視界が妨げられるのを防止する幾つかの製品は、当該技術分野において公知である。この曇りの原因は、腹腔鏡レンズに水分が凝結した結果である。レンズ温度は、体腔内における外科医の施術スペースを広げるために、患者の体内にポンプ輸送する送気ガスの露点温度よりも低い。人体によって送気ガスが相対湿度約１００％まで加湿され、ガス温度が体温まで上昇するので、ガス温度は約３７°Ｃとなり、より低温の腹腔鏡レンズ上で微小水滴が凝結する。
【０００３】
Ｕｎｉｖｅｒｓｉｔｙ  ｏｆ  ＭａｓｓａｃｈｕｓｓｅｔｓのＷＯ０１／６０２３９号では、腹腔鏡のような光学器械の遠位部でレンズを加温及び清浄するレンズ加温・清浄装置を開示している。レンズ加温・清浄装置は、腹腔鏡のレンズ部分を受けるような大きさ及び形状にされた熱伝導管と、該熱伝導管の外面に熱結合された加熱要素と、熱伝導管内に設置された清浄部材とを含む。好ましい加熱要素は加熱パッドであり、該加熱パッドは化学混合物を入れた空気透過性の可撓性アウターバッグを含む。前記化学混合物は、活性化されると発熱反応を起こすので、腹腔鏡のレンズを４５〜６０°Ｃまで温めるのに十分な熱を発生する。開示された清浄部材は、熱伝導管の遠位部に挿入されるスポンジであり、塩水に曇り止め添加剤又は界面活性剤のような添加剤を加えたもので湿潤される。加温・清浄装置は自己完結型であり、動作するための動力を必要としない。発熱パッドは、最大で６時間又はそれ以上の間十分な熱を供給することができるが、１回の手術処置を行った後に交換する必要があり、更に機器の他のものは再使用のために滅菌される。
【発明の概要】
【発明が解決しようとする課題】
【０００４】
Ｍｉｃｈａｅｌ  Ｒ．  Ｓｅｉｔｚｌｉｎｇｅｒ及びＤａｖｉｄ  Ｐｌａｔｔｓに付与された米国特許第６，２３４，６３５号明細書には、腹腔鏡の近位レンズの領域を周囲温度よりも高い温度に維持して使用時のレンズの曇りを防止する装置が開示されている。この加熱装置は、予め滅菌された化学的熱パックであり、活性時に、手術処置の時間期間に腹腔鏡の近位レンズ端部領域に取り付けられることで、レンズ温度が周囲温度よりも確実に高く維持される。加熱装置は使い捨てである。しかしながら、加熱装置がレンズに近接した腹腔鏡の領域に取り付けられる場合、この領域における追加の重量により使用時の装置の平衡が崩れることになる。
【０００５】
Ｉｌ  Ｇ.  Ｋｉｍに付与された米国特許第５，５４９，５４３号では、腹腔鏡のレンズ及び端部部分を周囲温度よりも高く加熱し維持する曇り除去装置が開示されている。本装置は、加熱プレート上に取り付けられた第２の注水容器によって囲まれたレンズ及び腹腔鏡の端部部分を受ける内部注水容器を含む。該加熱プレートは、内側貯蔵器内の水を保護し、外側容器が一定温度に維持される温度制御機構を含む。効果的且つ制御された加熱装置を提供するが、本機器は動作させるために電源を必要とするため携帯性が低下し、使用する前に容器を滅菌する必要がある。
【０００６】
本発明の目的は、先行技術における上記の欠点に対処する幾らかの助けとなり、或いは少なくとも有用な選択肢を当該業界に提供する、レンズ温度を周囲温度よりも高く加温するためのレンズ加温及び清浄システムを提供することである。
【０００７】
本発明の別の目的は、手術環境内で使い捨てることができ、且つ持ち運びができるレンズ加温装置を提供することである。
【課題を解決するための手段】
【０００８】
従って、第１の態様において、本発明は、レンズ部分を備えた光学器械の遠位部を加温することができる加温装置からなり、該加温装置は、
内壁と、外壁と、中央キャビティを間に備えた上面及び開放遠位部とを有する二重壁円筒状管体と、
上面から延び、光学器械のレンズ部分を受けるような大きさ及び形状にされた突出部と、
二重壁円筒状管体の遠位部に取り付けるような大きさにされた円形キャップと、
二重壁円筒状管体の内壁と外壁との間の断熱層と、
中央キャビティ内に密閉され、断熱層に熱結合される加熱要素と、
を含む。
【０００９】
第２の態様において、本発明は、腹腔鏡のような光学器械の遠位部を加温することができる加温装置からなり、該加温装置が、
内壁と、外壁と、中央キャビティを間に備えた上面及び開放遠位部とを有する二重壁円筒状管体と、
上面から延び、光学器械のレンズ部分を受けるような大きさ及び形状にされた突出部と、
二重壁円筒状管体の遠位部に取り付けるような大きさにされた円形キャップと、
二重壁円筒状管体の内壁と外壁との間の断熱層と、
中央円形突出部を被覆する材料と、
を含む。
【００１０】
第３の態様において、本発明は、腹腔鏡のような光学器械の遠位部を加温することができる加温装置からなり、該加温装置が、
内壁と、外壁と、中央キャビティを間に備えた上面及び開放遠位部とを有する二重壁円筒状管体と、
上面から延び、光学器械のレンズ部分を受けるような大きさ及び形状にされた突出部と、
二重壁円筒状管体の遠位部に取り付けるような大きさにされた円形キャップと、
二重壁円筒状管体の内壁と外壁との間の断熱層と、
突出部を被覆する材料と、
使用時に少なくとも加熱送気ガスが加温装置を通過することにより、中央キャビティを加温するように二重壁円筒状管体に取り付けられた入口及び出口ガス管状コネクタと、
を含む。
【００１１】
第４の態様において、本発明は、腹腔鏡のような光学器械の遠位部を加温しながら光学器械を較正する装置からなり、該光学器械を較正する装置が、
内壁と、外壁と、中央キャビティを間に備えた上面及び開放遠位部とを有する二重壁円筒状管体と、
上面から延び、光学器械のレンズ部分を受けるような大きさ及び形状にされた突出部と、
二重壁円筒状管体の遠位部に取り付けるような大きさにされた円形キャップと、
二重壁円筒状管体の内壁と外壁との間の断熱層と、
突出部の遠位部内に挿入される白色化ブロックと、
中央キャビティ内に密閉され、断熱層に熱結合される加熱要素と、
を含む。
【００１２】
本発明は、上記から構成され、以下により実施例が与えられる構成が想定される。
【図面の簡単な説明】
【００１３】
【図１】本発明の断熱式医療用レンズ加温装置の断面図である。
【図２】図１の断熱式レンズ保温装置に取り付けられたハンドルクリップの斜視図である。
【図３】図１の断熱式レンズ保温装置の分解図である。
【図４】本発明の断熱式レンズ保温装置の第２の形態の断面である。
【図５】本発明の断熱式レンズ保温装置の第３の形態の断面である。
【図６】図５の断熱式レンズ保温装置の斜視図である。
【図７】本発明の断熱式レンズ保温装置の第４の形態の断面である。
【図８】図７の断熱式レンズ加温器の斜視図である。
【図９】本発明の別の実施形態の断熱式レンズ加温装置の上面に取り付けられた可撓性グロメットの使用を示す断面である。
【発明を実施するための形態】
【００１４】
ここで本発明の好ましい形態を添付図面を参照しながら説明する。
【００１５】
本発明は、腹腔鏡のような光学器械のレンズ部分を周囲温度よりも高い温度に加温してレンズの曇りを防止することができる加温装置と、外科手術中にレンズを清浄化して該レンズに付着する可能性のあるあらゆる生体物質を除去する手段とを提供する。このレンズ加温装置は自己完結型のものであり、どのような電源用の取付装置も必要としないので、本装置を外科手術環境内の任意の場所で使用するため携帯可能になる。
【００１６】
具体的には、光学器械のレンズ部分を長時間にわたって周囲温度よりも高い温度まで加温する手段を提供するレンズ加温装置について述べる。手術処置中のあるあらゆる段階で、外科医が腹腔鏡を体腔から取り出す必要がある場合には、レンズ部分がレンズ加温器内に再挿入されて、該レンズ部分の温度を周囲温度よりも高い温度に維持し、更に、清浄部材がレンズ加温装置の遠位端部に配置されている場合、レンズは清浄部材と接触して清浄化されることになる。手術処置の終わりに、レンズ加温装置は廃棄することができるので、場合によってはオートクレーブ又は他の滅菌工程を行う機器の要件が排除される。
【００１７】
本発明の好ましい実施形態で説明されるようなレンズ加温装置は、一般的に外科用光学器械の多くの形態で使用することができることは理解されるであろうが、ここでは腹腔鏡である外科用光学器械に関連して以下に説明される。
【００１８】
図１及び図３を参照すると、遠位端部にレンズ２を有する腹腔鏡の遠位部１が、本発明の断熱型レンズ加温装置３０内に挿入された状態で示してある。断熱型レンズ加温装置３０は、ＡＢＳ、ポリエチレン、又は他の適切な材料などの熱可塑性又は熱硬化性プラスチック材料で構成するのが好ましい。断熱型レンズ加温装置３０は、中央キャビティ４を備えた二重壁円筒状管体３ａ及び３ｂであり、超音波溶接、摩擦嵌合、スナップ嵌合、又は当該技術分野で公知の他の適切な固定具によって円形キャップ５が取り付けられる開放遠位部７を有する。二重壁円筒状管体３の内壁３ｂと外壁３ａとの間には空気を含む断熱層６がある。二重壁円筒状管体３の近位端部８は閉鎖され、二重壁円筒状管体３の遠位部７に向かって中央キャビティ４内に延び、光学器械１のレンズ部分２を受入れる大きさ及び形状にされた突出部９を有している。突出部９は、二重壁円筒状管体３の近位端部８の中央部分の周りに配置された円筒形突出部であるのが好ましい。中央キャビティ４には、水、塩水、コムギ、オートムギ又はオオムギの粒、米、或いは他の適切な熱伝導材料などの伝導性加熱要素が充填された後、二重壁円筒状管体３の遠位部７に対し円形キャップ５が恒久的に装着される。
【００１９】
腹腔鏡１のレンズ部分２が円筒形突出部９内に挿入された時に、レンズ部分２が清浄部材１２と接触するように、アクリル、ポリプロピレン又は他の適切なフィルタ材料で作られた不織清浄部材１２を円筒形突出部９の遠位端部１４に配置することができる。本明細書で説明されるようなレンズ加温装置の実施形態のいずれにおいても同様の清浄部材を備えることができる。
【００２０】
図９に示すように、レンズ加温装置３９は、円筒形突出部４２の近位端部４１に取り付けられるシリコンなどのプラスチック系材料で作られた可撓性グロメットを有することができる。該可撓性グロメット４０により、異なる寸法の光学器械１を円筒形突出部４２内に挿入することが可能となり、同時に該光学器械１に対してある程度の支持を与えることができる。代替的に、又は可撓性グロメット４０と組み合わせて、円筒形突出部４２の断面は、近位端部分４１から遠位部まで延びる複数の漸減ステップ部を含むことができる。これにより、光学器械１が断熱型レンズ加温装置３９内に挿入された時に該光学器械に対してより大きな支持をもたらすことになる。レンズ加温装置３９は、図１に関して上述したものと同様な二重円筒形構造のものである。
【００２１】
図２を参照すると、断熱型レンズ加温装置３０は、該断熱型レンズ加温装置３０の上面８に取り付けられる好ましくはＬ型形状のハンドル１１を有することができる。ハンドル１１は、プラスチック成形工程注に形成される断熱型レンズ加温装置３０の一体形部品であるのが好ましいが、超音波溶接、接着又は他の好適な付付着機構などの他の付着技法を用いることもできる。該ハンドル１１は、断熱型レンズ加温装置３０を手術環境の周りに移送する手段を提供すると同時に、該断熱型レンズ加温装置３０を外科手術用ドレープ又はテーブルに着脱可能に取り付ける手段を提供する。或いは、該ハンドル１１は、断熱型レンズ加温装置３０が外科手術用ドレープ又はテーブル上に確実に把持することができるように、開閉式のハンドルクリップ型機構を含むことができる。
【００２２】
本明細書で説明する実施形態のいずれもが図２に関して上記で説明したようにハンドルを備えることができる点に留意されたい。
【００２３】
使用する前に、断熱型レンズ加温装置３０は、マイクロ波式外科手術用加温装置又は他の従来型のオーブン式外科手術用加温装置内に配置され、加熱要素１５の温度を周囲の体温よりも高い温度まで上昇させるようにする。次に、清浄部材１２を円筒形突出部９の遠位部１４に向かって挿入することができる。この後、腹腔鏡２のレンズ部分２が円筒形突出部９内に挿入され、レンズ部分２が清浄部材１２と接触することができるようになる。加熱要素１５によって生成された熱エネルギーにより、レンズ部分２が周囲温度よりも高い温度まで加温され、この結果、該レンズ部分２を体腔内に挿入した際にレンズの凝結を防止するのに十分な程度までレンズ部分が温められると同時に、清浄部材１２が外科手術での使用に備えてレンズ部分２を清浄化することができるようになる。
【００２４】
断熱層６は、加熱要素の温度が少なくとも外科手術の継続時間中に維持されるように加熱要素１５と熱接触状態にある。従って、レンズ部分２が体腔から取り出されたときには、レンズ部分は断熱型レンズ加温装置３０内に再挿入され、レンズ部分２の温度を少なくとも周囲温度よりも高い温度に維持することができる。また、清浄部材１２が円筒形突出部９内に挿入されると、レンズ部分２はまた、体腔内への再挿入に備えて清浄することができる。
【００２５】
本発明の断熱型レンズ加温装置４３の第２の実施形態が、図４に示されている。ここでは、光学器械１のレンズ部分２は、断熱型レンズ加温装置の円筒形突出部４４内に挿入される。円筒形突出部４４の壁２０は、プラスチック成形及び形成工程中に染料のような黒色材料を含浸させることができる。断熱型レンズ加温装置４３は、光学器械１のレンズ部分２から放射する光源が円筒形突出部４４の黒色に被覆されている遠位部１４に衝突し、光エネルギーを吸収して伝導によって光エネルギーを熱エネルギーに変換するので、使用前には予熱されない。従って、熱エネルギーは、光学器械１のレンズ部分２を体腔内で使用される送気ガスの露点より高い温度まで加温し、これによりレンズの曇りが阻止される。
【００２６】
或いは、プラスチック成形及び形成工程中に円筒形突出部に黒色染料を含浸させる代わりに、閉じた遠位部２２を有する好ましくは円筒断面の着脱可能な黒色プラスチック成形インサート２１を円筒形突出部４４内に挿入することができる。黒色インサート２１は、光学器械１のレンズ部分２から放射する光源を利用した伝導によって光エネルギーを熱エネルギーに変換する代替手段を提供する。
【００２７】
本発明の第３の実施形態の断熱型レンズ加温装置が、図５及び図６に示されている。ここでは、レンズ加温装置３１は、二重壁円筒状管体３２と流体連通した２つのガス管状コネクタ２３，２４を有する。入口ガス管状コネクタ２３は、近位部分３３に向けて位置付けられ、出口ガス管状コネクタ２４は、互いにほぼ１８０度で配置された遠位部に向けて位置付けられ、二重壁円筒状管体３２の本体を貫入している。光学器械１のレンズ部分２を体腔内に挿入する前に、体腔に吹き入れるのに使用される同一供給源から加熱され且つ好ましくは加湿されたガスを供給するガス管体が、入口ガス管状コネクタに向けられ入口ガス管状コネクタに取り付けられ、これにより少なくとも加熱されたガスが中央キャビティ３４内に入れられる。中央キャビティ３４内で発生した結果として得られる熱エネルギーは、ガスの露点温度よりも高い温度まで上昇される。発生した熱エネルギーは、円筒形突出部３５内の温度を上昇させ、光学器械１のレンズ部分２が円筒形突出部３５内に挿入されたときに、該レンズ部分２は、体腔内に挿入する前に光学器械を加熱する熱エネルギーを吸収し、これによりレンズの曇りが防止されるようになる。
【００２８】
ガスは、断熱型レンズ加温装置３１の遠位部３６に向けて位置付けられた出口ガス管状コネクタ２４を介して中央キャビティ３４から流出することができる。ガスは、自由大気空間に流出することが許されるので、第２のガス管状コネクタ２４にガス管体を取り付ける必要性はない。
【００２９】
図７に示す第４の実施形態では、レンズ加温装置３７は、好ましくは円筒形突出部４５の遠位端部３８に配置された白色状インサート２６を有する。該白色状インサート２６は、光学器械１のレンズ部分２を挿入する前に円筒形突出部４５内に挿入することができる。手術の開始時に、光学器械１は、該光学器械１の遠位部から光が放射するように切り替えられる。次いで、レンズ部分２が、断熱型レンズ加温装置３７内に挿入される。事前に加温されるだけでなく、光学器械１の遠位部の周りから放射する光が白色状インサート２６に衝突してレンズ部分２に反射して戻り、該機器は、光学器械１の遠位部が体腔内に挿入される際に体組織が正確な色に確実に見えるように較正することができる。レンズ加温装置３７の一般的な構造は、該レンズ加温装置３７が二重壁円筒状管体構造体４６を有する点で図１の加温装置の構造と類似している点に留意されたい。
【００３０】
或いは、図８に示すように、キャビティ２７は、二重壁円筒状管体の外面及び内面から円筒形突出部（図示しないが、図７の符号４５に類似している）の遠位部を越えて反対側の内面壁へ向けて延びる開口を提供するようにプラスチック成形工程中に形成することができる。従って、着脱可能な白色化ブロック２８を二重壁円筒状管体のキャビティ２７開口に挿入することができ、この結果、光学器械１のレンズ部分２が断熱型レンズ加温装置４７内に挿入されたときに、体腔内に挿入する前にスコープを較正し加温することができるようになる。このことは、光学器械１のレンズ部分２が、白色化ブロック１からの光反射を受けるように光学器械の光源を作動させることによって達成される。この場合もまた、レンズ加温装置４７の一般的な構造は、該レンズ加温装置４７が二重壁円筒状管体構造４８を有している点で図１の加温装置のものと類似している。
【図１】
2011229924.tif 000003
【図２】
2011229924.tif 000004
【図３】
2011229924.tif 000005
【図４】
2011229924.tif 000006
【図５】
2011229924.tif 000007
【図６】
2011229924.tif 000008
【図７】
2011229924.tif 000009
【図８】
2011229924.tif 000010
【図９】
2011229924.tif 000011
【手続補正書】
【提出日】平成23年6月22日(2011.6.22)
【手続補正１】
【補正対象書類名】特許請求の範囲
【補正対象項目名】全文
【補正方法】変更
【補正の内容】
【特許請求の範囲】
【請求項１】
光学器械の遠位部を加温しながら光学器械を較正する装置であって、
前記遠位部を受け入れることができる熱伝導管体と、
前記管体に熱結合する加熱要素と、
前記管体の遠位端に配置され、前記光学器械のホワイトバランスを可能にする白色化インサートと、
前記管体の前記遠位端に配置された清浄部材とを備え、
使用中、前記光学器械の前記遠位部が前記管体に挿入されたときに前記遠位部が前記清浄部材と接触して清浄化されるようになっている、装置。
【請求項２】
内壁と、外壁と、中央キャビティを間に備えた上面及び開放遠位部とを有する二重壁円筒状管体と、
前記上面から延び、前記光学器械の前記遠位部を受けるような大きさ及び形状にされた突出部と、
前記二重壁円筒状管体の内壁と外壁との間の断熱層と、
前記中央キャビティ内に密閉され、前記断熱層に熱結合される加熱要素と、を備えている、請求項１に記載の光学器械の遠位部を加温しながら光学器械を較正する装置。
【請求項３】
前記二重壁円筒状管体が、前記外壁から前記突出部の遠位部を貫通して延び、前記白色化インサートに嵌合するような大きさ及び形状にされた水平キャビティを有する、請求項１又は請求項２に記載の光学器械の遠位部を加温しながら光学器械を較正する装置。
【請求項４】
前記突出部が、前記管体内への挿入時に前記光学器械に対して支持強化を与えるように、前記管体の遠位部に向かって漸減した円周部の複数の段部を含む請求項３に記載の光学器械の遠位部を加温しながら光学器械を較正する装置。
【請求項５】
前記加熱要素が導電材料を含む請求項１から請求項４のいずれか１項に記載の光学器械の遠位部を加温しながら光学器械を較正する装置。
【請求項６】
前記導電材料が、水又は塩水である請求項５に記載の光学器械の遠位部を加温しながら光学器械を較正する装置。
【請求項７】
前記導電材料が、コムギクサの種、オオムギクサの種、オートムギの種及び米で構成される群から選択されたものである請求項５に記載の光学器械の遠位部を加温しながら光学器械を較正する装置。
【請求項８】
前記白色化インサートが、不織材料で構成される請求項１から請求項７のいずれか１項に記載の光学器械の遠位部を加温しながら光学器械を較正する装置。
【請求項９】
前記白色化インサートが、織成の繊維材料で構成される請求項１から請求項７のいずれか１項に記載の光学器械の遠位部を加温しながら光学器械を較正する装置。
【請求項１０】
前記清浄部材は、不織材料で構成される請求項１から請求項８の何れか１項に記載の光学器械の遠位部を加温しながら光学器械を較正する装置。
【請求項１１】
前記断熱層が空気を含む請求項２から請求項１０のいずれか１項に記載の光学器械の遠位部を加温しながら光学器械を較正する装置。
【請求項１２】
前記装置が使い捨てである請求項１から請求項１１のいずれか１項に記載の光学器械の遠位部を加温しながら光学器械を較正する装置。
【請求項１３】
前記管体が、前記加温装置を外科手術用ドレープ又はテーブルに着脱可能に取り付けるように構成された、前記上面に取り付けられる取付機構を有する請求項１から請求項１２のいずれか１項に記載の光学器械の遠位部を加温しながら光学器械を較正する装置。
【請求項１４】
前記突出部が、前記上面の少なくとも一部を囲み、異なる寸法の光学器械の遠位部を受けるように適合可能な可撓性グロメットを有する請求項２から請求項１３のいずれか１項に記載の光学器械の遠位部を加温しながら光学器械を較正する装置。